(57)【要約】【課題】短い工期にて確実かつ簡単に電波吸収パネルの取付作業が可能であり、かつ、布設後は足場を残したまま電波吸収パネルの取り外しが可能な電波吸収パネルの取付構造を提供することを目的とする。【解決手段】上層側の足場板５と下層側の電波吸収パネル６とが所定隙間Ａをもつよう連結部材により連結された一体状の複合パネル体１とされている。高架裏１１に平行に複数本配設された横梁４間において、足場板５と電波吸収パネル６とが横梁４の一部を上下挟むよう、複合パネル体１が横梁４の一部に差し込み状となって取着されたものである。【選択図】  図３
2004270393.tif 000002
【特許請求の範囲】
【請求項１】
上層側の足場板（５）と下層側の電波吸収パネル（６）とが所定隙間（Ａ）をもつよう連結部材（７）により連結された一体状の複合パネル体（１）とされ、高架裏（１１）に平行に複数本配設された横梁（４）に、上記複合パネル体（１）の両端側が、上記隙間（Ａ）により上記足場板（５）と上記電波吸収パネル（６）とが該横梁（４）乃至該横梁（４）の一部を上下挟んで、取着されたことを特徴とする電波吸収パネルの取付構造。
【請求項２】
上記複合パネル体（１）は、上記足場板（５）と上記電波吸収パネル（６）との間の上記所定隙間（Ａ）を維持するスペーサ部材（８）を有する請求項１記載の電波吸収パネルの取付構造。
【請求項３】
高架裏（１１）に複数本の横梁（４）を相互が平行となるよう取付け、次に、上層側の足場板（５）と下層側の電波吸収パネル（６）とを所定隙間（Ａ）をもつよう連結部材（７）により連結させて一体状とした複合パネル体（１）の両端側を、該隙間（Ａ）により該足場板（５）と該電波吸収パネル（６）とが該横梁（４）乃至該横梁（４）の一部を上下挟むよう、差し込み状として上記横梁（４）に取着させることを特徴とする電波吸収パネルの取付方法。
【発明の詳細な説明】
【０００１】
【発明の属する技術分野】
本発明は、電波吸収パネルの取付構造及びその取付方法に関する。
【０００２】
【従来の技術】
近年、高速道路交通システムの一分野である有料道路の自動料金収受（ＥＴＣ）システムが採用されている。このＥＴＣシステムによって、料金所での自動車のノンストップによる渋滞解消、キャッシュレス化への対応、料金所での無人化等を図ろうとしている。
【０００３】
このＥＴＣシステムに於て、アーチ状のゲート（ガントリー）の上辺に設置した路側アンテナから道路に向けて電波を発信し、この道路を走行通過する自動車の車載器と上記路側アンテナとの間で双方向通信を行う。その際、上記路側アンテナから直接的に車載器の電波が到達するのみであれば、問題は生じないのであるが、上記路側アンテナから発信された電波が一旦道路面にて反射し、さらに、該料金所近傍にて上記道路と交差してあるいは平行に設けられた別の高架道路の裏面側───高架裏───で再反射すると、次のような問題を生ずる。即ち、上記高架裏で電波が再反射すると、再び上記車載器へ電波が到達し、一度の通過にかかわらず、二度の料金徴収を行う等の誤操作のおそれがあった。
そこで、上記料金所等の近傍の高架道路の裏面側───高架裏───に、電波の反射を低減乃至無くするための電波吸収パネルを取付けている。
【０００４】
従来、高架裏（桁裏ということもある）に電波吸収パネルを取付ける方法としては、地上から足場を組み立てて、高架裏に対しこの足場から作業して電波吸収パネルを取付け、その後、この足場で解体するという方法が用いられ、また、補修作業時も同様に高架裏側に組立てた足場から補修作業を行い、その後、この足場を解体していた。
しかしながら、このような電波吸収パネルの取付方法では、高架の桁下を往来する車を、長い期間にわたり通行規制を行う必要があった。
そのような問題を解決するため、電波吸収パネルを足場に兼用する構成が提案されている（例えば、特許文献１、特許文献２参照）。
【０００５】
【特許文献１】
特許第３０８４００９号公報
【特許文献２】
特開２０００−２３４３１２公報
【０００６】
【発明が解決しようとする課題】
しかしながら、電波吸収パネルの上面を足場に兼用する構造及びそのような取付方法では、以下のような問題がある。つまり、▲１▼交換するパネルの枚数によってはパネルが足場として使用できず、作業効率を低下させる。▲２▼パネルを取り外した箇所が存在した場合、作業者の足元が危険であり、落下する虞が生じる。また、足場が無いので高架裏（桁裏）の補修を行うことが困難である。
【０００７】
以上のような問題▲１▼▲２▼があった。本発明は、このような問題▲１▼▲２▼を解決して、短い工期にて確実かつ簡単に電波吸収パネルの取付作業が可能であり、かつ、安全性が高い取付方法及び取付構造を提供することを一つの目的とし、また、布設後は、足場を残したまま電波吸収パネルの取り外しが可能な電波吸収パネルの取付構造及び取付方法を、提供することを他の目的とする。
【０００８】
【課題を解決するための手段】
上述の目的を達成するために、本発明に係る電波吸収パネルの取付構造は、上層側の足場板と下層側の電波吸収パネルとが所定隙間をもつよう連結部材により連結された一体状の複合パネル体とされ、高架裏に平行に複数本配設された横梁に、上記複合パネル体の両端側が、上記隙間により上記足場板と上記電波吸収パネルとが該横梁乃至該横梁の一部を上下挟んで、取着されたものである。
また、上記複合パネル体は、上記足場板と上記電波吸収パネルとの間の上記所定隙間を維持するスペーサ部材を有するものである。
【０００９】
また、上述の目的を達成するために、本発明に係る電波吸収パネルの取付方法は、高架裏に複数本の横梁を相互が平行となるよう取付け、次に、上層側の足場板と下層側の電波吸収パネルとを所定隙間をもつよう連結部材により連結させて一体状とした複合パネル体の両端側を、該隙間により該足場板と該電波吸収パネルとが該横梁乃至該横梁の一部を上下挟むよう、差し込み状として上記横梁に取着させる。
【００１０】
【発明の実施の形態】
以下、図示の実施の形態に基づき、本発明を詳説する。
【００１１】
図１に示した一部破断斜視説明図に於て、１０は高架道路であって、その高架裏（桁裏）１１には、長手方向にＨ型鋼等の高架道路主桁１２が複数列配設されている。この主桁１２と平行にその下方位置に、Ｈ型鋼等の縦梁３が吊部材（索条）２ａにて吊下状に保持されている。そして、図２の斜視説明図に示すように、平面視において縦梁３に直交状に、横梁４が複数本の縦梁３の下面に当接して固着される。即ち、多数本の横梁４が平行に、上記高架道路１０の長手方向と直交する幅方向（左右方向）に配設され、縦梁３と横梁４とにより平面視井桁状となる。
【００１２】
横梁４は、複合パネル体１固定用部材であり、その長手方向に向かって見てＩ型断面であり（既成の）Ｈ型鋼等を使用すればよく、または、プレートを溶接してＩ型断面の構造としてもよい。即ち、横梁４は、上フランジ板部１３と、下フランジ板部１４と、これらを連結する中間連結板部１５と、により構成され、上フランジ板部１３が縦梁３の下面とボルト・ナット等の固定部材や溶接により接続される。また、横梁４は長手方向に同一Ｉ断面の長尺梁部材で、その端部４ａにおいても図２に示すように断面Ｉ型である。
【００１３】
図４、図５、図６は複合パネル体１の平面図、側面断面図、正面断面図であり、これらに於て、本発明に係る取付構造により高架裏１１に取付けされる電波吸収パネル６は、足場板５と共に複合パネル体１として予め構成されたものであり、複合パネル体１は、上層側の足場板５と下層側の電波吸収パネル６とが所定隙間Ａをもつよう連結部材７により連結されて一体状とされている。
【００１４】
電波吸収パネル６は、電磁波吸収パネルとも呼ばれ、例えば、平面視矩形板状の電波吸収本体と、電波吸収本体の下面側に積層状とした表面板材（ＦＲＰ板）と、電波吸収本体の上面乃至側面を保護する保護板材等を有するよう構成し、矩形板状のパネル部材としている。なお、電波吸収本体は従来より知られている材料・構成によるものが適用できる。
【００１５】
足場板５は、図４〜図６に示すように、平面視、電波吸収パネル６の大きさ（縦・横寸法）と（略）同一としたり、図８に示すように足場板５の大きさ（寸法）と電波吸収パネル６の大きさ（寸法）とが異なった設定のものとする。図示の足場板５は、金属製プレートを波型に折り曲げて形成した断面凹凸波型の足場部材とし、軽量でありながら剛性を有するものとしている。これにより、複合パネル体１を広面積としても、軽量で作業者が施工に際し取り扱いやすくしている。
【００１６】
図７は足場板５と電波吸収パネル６との連結部を示す要部断面図であり、足場板５と電波吸収パネル６とは所定寸法の隙間Ａを有して連結部材７により一枚のパネル状となるよう連結されている。さらに、複合パネル体１は足場板５と電波吸収パネル６との間の上記所定隙間Ａを維持するスペーサ部材８を有している。
【００１７】
連結部材７及びスペーサ部材８について説明すると、図７に示すように、連結部材７は、ボルト１６とボルト１６に螺合するナット部材１７───特にアイナット───とし、上層側の足場板５と下層側の電波吸収パネル６とに夫々設けた貫通孔に、ボルト１６を電波吸収パネル６側から挿通させ、足場板５側にてナット部材１７が足場板５と電波吸収パネル６とを挟んで連結するものである。
なお、ナット部材１７をアイナットとすることで、電波吸収パネル６と足場板５との連結部材７の一部として機能すると共に、後にも説明する落下防止ワイヤ１９を挿通させる治具、及び、施工の際における複合パネル体１の吊り下げ用治具としても機能させることができる。
【００１８】
そして、スペーサ部材８は、例えばリング状乃至Ｃ字状等の部材とされ、上記ボルト１６及びナット部材１７により足場板５と電波吸収パネル６とを予め連結する際に、電波吸収パネル６と足場板５との間に配設されてボルト１６に挿通されるものである。そして、スペーサ部材８の高さｔの寸法が電波吸収パネル６と足場板５との間の上記所定隙間Ａとなる。また、スペーサ部材８は高さｔの板部材とし、ボルト１６の近傍において電波吸収パネル６と足場板５との間に挟ませたものとしてもよい。
【００１９】
また、足場板５が上述のとおりプレートが波型に折り曲げられた構成であるため、連結部材７を、足場板５の凹部２０に配置させることで、連結部材７を短くでき、かつ、しっかりと固定できる。そして、図４と図６に示すように複合パネル体１の中央部に配設させた凹部２０に、間隔を持って（２箇所）連結部材７，７が配設され、連結部材７，７により一体状のパネルを構成している。
【００２０】
図４に示すように、複合パネル体１の足場板５（複合パネル体１全体）の縦寸法Ｂは、隣り合う上記横梁４，４の夫々の中間連結板部１５，１５間の寸法Ｄより小さい寸法（Ｂ＜Ｄ）であり、かつ、その隣り合う横梁４，４の夫々の下フランジ板部１４，１４（又は上フランジ板部１３，１３）間の寸法Ｅより大きく（Ｅ＜Ｂ）なるよう設定されている。言い換えれば、複合パネル体１の縦寸法Ｂと横梁４，４間の寸法Ｄ、Ｅが上記の関係を満たすよう、横梁４，４を縦梁３に接続する。なお、図８において後にも説明するが、足場板５の大きさ（寸法）と電波吸収パネル６の大きさ（寸法）を同一としてもよいが異なるよう設定してもよい。
【００２１】
そして、図３の斜視説明図に示すように、この複合パネル体１を横梁４，４に取着させる。具体的に説明すると、高架裏１１に平行に複数本配設された横梁４に（横梁４，４間において）、複合パネル体１の縦方向両端側が、隙間Ａにより足場板５と電波吸収パネル６とが横梁４の一部を上下挟んで、横梁４と差し込み状となって取着された構造とする。
つまり、図３〜図７に示すように、上記横梁４の一部とは横梁４の下フランジ板部１４（の片側平板部）であり、複合パネル体１の両側における隙間Ａにより、下フランジ板部１４を足場板５と電波吸収パネル６とが上下から挟んだ状態とし、下フランジ板部１４に複合パネル体１を取着させる。この第一の実施の形態では、上記隙間Ａを横梁４の下フランジ板部１４の厚さ寸法と略同一乃至若干大きめに設定している。
【００２２】
また、図８は複合パネル体１の横梁４との固定部を示す要部断面図であり、複合パネル体１は、横梁４との取付けがされるパネル体１の縦方向側縁部（両端側）に、連結固定部材９を有している。連結固定部材９は、足場板５と電波吸収パネル６とを連結させ一体状のパネル体１に（補助的に）保持すると共に、横梁４への取付け用として作用する。つまり、連結固定部材９は、ボルト２３とボルト２３に螺合するナット２４とを有し、足場板５と電波吸収パネル６とに設けた貫通孔に、ボルト２３を電波吸収パネル６側から挿通させ、足場板５側にてナット２４が足場板５と電波吸収パネル６とを挟んで連結するものである。そして、横梁４への固定は、横梁４に形成した貫通（長）孔や切欠部にボルト２３を挿通させ、複合パネル体１と横梁４とをナット２４により締めつけて固定する。ボルト２３、ナット２４は緩み止め手段が付されている。
また、この連結固定部材９においても、複合パネル体１の横梁４との取付けがされる側縁部（両端側）であって足場板５の凹部２０に配置されている。
【００２３】
また、図９は本発明の取付構造の第二の実施の形態であり、高架裏１１に平行に複数本配設された（上記と同様の）横梁４に（横梁４，４間において）、複合パネル体１の縦方向両端側が、隙間Ａにより足場板５と電波吸収パネル６とが横梁４（全体）の上下面を上下挟んで、横梁４と差し込み状となって取着された構造としている。この実施の形態では、隙間Ａを横梁４の高さ寸法より大きく設定している。さらに、連結部材７としては、断面略Ｚ字状やコ字状の継ぎ部材２１と、継ぎ部材２１と足場板５及び継ぎ部材２１と電波吸収パネル６とを連結するボルト・ナット部材２２とにより構成されている。
【００２４】
上記第一、及び、第二の実施の形態では、足場板５は横梁４の下フランジ板部１４の上面、及び、横梁４の上フランジ板部１３の上面に載置状となって固定されるため、足場板５上に荷重が作用しても───作業者が乗っても───極めて安全である。
また、足場板５と電波吸収パネル６との間の所定隙間Ａは、足場板５と電波吸収パネル６との間全面において均一寸法に形成する以外にも、図示省略するが、複合パネル体１の少なくとも横梁４との取付けがされる縦方向の側縁部（両端側）において所定隙間Ａが形成されてもよい。
【００２５】
次に、この複合パネル体１の高架裏（桁裏）１１への取付方法（工法）について説明すると、図１に示すように、高架裏１１の主桁１２に吊部材２ａを垂下状に取り付け、縦梁３を吊部材２ａによって吊り下げ状に、かつ、主桁１２の下方に平行に保持する。その後、図２に示すように、横梁４を縦梁３の下面にかつ平面視直交状に、ボルト・ナット等の固定部材や溶接により取付ける。複数本（多数本の）横梁４は、相互が平行として、高架裏１１に道路の左右幅方向に配設されることとなる。
【００２６】
そして、上層側の足場板５と下層側の電波吸収パネル６とを所定隙間Ａをもつよう連結部材７により連結させて予め一体状とした複合パネル体１の縦方向両端側を、隙間Ａにより足場板５と電波吸収パネル６とが横梁４の一部（下フランジ板部１４）を上下挟むよう、差し込み状として横梁４に取着させる。
なお、他の実施の形態としては、予め組み立てた複合パネル体１を下フランジ板部１４を上下挟んで下フランジ板部１４に取着させる以外に、図９に示すように、一体状とした複合パネル体１の縦方向両端側を、隙間Ａにより足場板５と電波吸収パネル６とが横梁４（全体の上下面）を上下挟むよう、差し込み状として横梁４に取着させてもよい。
【００２７】
複合パネル体１の横梁４への取着は、図３に示すように、横梁４の端部４ａから複合パネル体１の隙間Ａにより差し入れ、矢印Ｓのように横梁４の長手方向にスライドさせながら順次取付けていく。このスライド差し込み作業の際、上記の連結固定部材９は複合パネル体１から外しておき、複合パネル体１を所定の固定位置に位置させてから、連結固定部材９により横梁４の下フランジ板部１４に設けた貫通孔において横梁４と複合パネル体１とを固定する。
【００２８】
また、他の取着方法としては、図示省略するが、複合パネル体１の縦寸法Ｂと横梁４，４間の寸法Ｄ、Ｅを適切に調整し、複合パネル体１を上下方向に傾斜させて縦方向の一側縁部（上方側）を一方の横梁４に差し込み、次いで、他側縁部（下方側）を持ち上げて他方の横梁４に（縦方向にずらしながら）嵌め込むようしてもよい。
つまり、いずれとも、複合パネル体１の自重を一旦横梁４に預けてから固定させるため安全である。
【００２９】
その後、図４に示すように、（隣り合う複数枚の）複合パネル体１の連結部材７（のアイナット）に落下防止ワイヤ１９を挿通させ、複合パネル体１の不意の落下を防止する。このワイヤ１９の両端部は縦梁３や横梁４に固着させればよい。
そして、図示省略するが、主桁１２と縦梁３との間に板片をボルト・ナット又は溶接にて連結して固定吊り部材として機能させ、主桁１２と縦梁３との間の構造を強固なものとする。なお、吊部材２ａはそのまま残し、あるいは、一部を除去して、電波吸収パネル６の取付作業は完了する。
【００３０】
また、図８の要部断面図に示すように、足場板５の大きさと電波吸収パネル６との大きさは、縦方向・横方向において同一とする必要がなく、例えば、電波吸収パネル６の縦寸法Ｆを足場板５の縦寸法Ｂより長くし、かつ、電波吸収パネル６の縦寸法Ｆを隣り合う一対の横梁４，４の中心線間隔Ｈより僅かに小さい寸法としてもよい。つまり、電波吸収パネル６の縦寸法Ｆは、横梁４，４の中心線間隔Ｈと、パネルクリアランスＧによって決まるものであり、電波吸収パネル６の縦寸法ＦとパネルクリアランスＧとの和が横梁４，４の中心線間隔Ｈとなる（Ｆ＋Ｇ＝Ｈ）。これにより、複合パネル体１を横梁４に簡単に取付けできると共に、隣り合う電波吸収パネル６，６との隙間を無くする（隙間を極めて小さくする）ことができる。また、図示省略するが、足場板５の寸法を電波吸収パネル６の寸法より長くしてもよい。
【００３１】
本発明は上記のような構成であり、地上から組み立てた足場を必要としないので、従来のように、桁下を行き来する車の通行規制を行う必要もない。そして、いつでも足場板５の上を歩いて、桁裏、及び、電波吸収パネル６のメンテナンス（点検・修理）を容易に行い得るという利点がある。また、高架道路１０の振動に対して、耐久性がある。
また、下フランジ板部１４を上下挟んで複合パネル体１を横梁４に取付けると、縦梁３の真下位置でも複合パネル体１を配置できる。つまり、高架裏１１の幅寸法に左右されることなく全面に電波吸収パネル６を配設でき、隣り合う電波吸収パネル６との間に隙間がないよう全面にわたって布設できる。
【００３２】
【発明の効果】
本発明は上述の構成により次のような効果を奏する。
【００３３】
（請求項１によれば）足場板５と電波吸収パネル６とを予め組み立てた複合パネル体１として取り付けるため、取付作業が簡略化できる。また、従来のような地上から組み立てた足場を別途組立てたり解体する手間がなくなり、工期の短縮化が図れる。
そして、布設後は、足場板５は足場として、電波吸収パネル６は電波吸収用のパネル体として独立して役割を果たすことができる。つまり、連結部材７を緩める（外す）ことにより、足場板５を残したまま電波吸収パネル６のみを取り外し、交換可能とできる。電波吸収パネル６が取り替えのために取り外されていても、残された足場板５により高架裏（桁裏）１１等の補修を安全に行い得る。
（請求項２によれば）複合パネル体１を横梁４に取付ける際、隙間Ａが確保されているため、複合パネル体１の縦方向（長手方向）両端側におけるその隙間Ａから横梁４に差し込み、横梁４に取着させることができ、取付作業を容易にできる。
【００３４】
（請求項３によれば）足場板５と電波吸収パネル６とを予め組み立てた複合パネル体１として取り付けるため、取付作業が簡略化でき、従来のような地上から組み立てる足場を別途組立てたり解体する手間がなくなり、工期の短縮化が図れる。  横梁４（乃至その一部）を上下挟んで取り付けるため、複合パネル体１の取付けが極めて容易となり、また、その自重を一旦横梁４に預けてから固定させるため安全である。
【図面の簡単な説明】
【図１】本発明の実施の一形態を示し、第一の取付手順を示す斜視説明図である。
【図２】第二の取付手順を示す斜視説明図である。
【図３】第三の取付手順を示す斜視説明図である。
【図４】複合パネル体の平面図である。
【図５】取付構造を説明する複合パネル体の側面断面図である。
【図６】取付構造を説明する複合パネル体の正面断面図である。
【図７】足場板と電波吸収パネルとの連結部を示す要部断面図である。
【図８】複合パネル体の横梁との固定部を示す要部断面図である。
【図９】取付構造の第二の実施の形態を示す側面断面図である。
【符号の説明】
１  複合パネル体
４  横梁
５  足場板
６  電波吸収パネル
７  連結部材
８  スペーサ部材
１１  高架裏
Ａ  隙間
【図１】
2004270393.tif 000003
【図２】
2004270393.tif 000004
【図３】
2004270393.tif 000005
【図４】
2004270393.tif 000006
【図５】
2004270393.tif 000007
【図６】
2004270393.tif 000008
【図７】
2004270393.tif 000009
【図８】
2004270393.tif 000010
【図９】
2004270393.tif 000011